(57)【要約】      （修正有）【課題】外観上のデザインを簡易に変えることができ、カバーをユーザの趣向に応じて簡易に交換できるカバー付財布を提供する。【解決手段】財布本体２を、磁石粒体でなる接合子を有する固定側台紙１１及び可動側台紙１２を用いてカバー３に挟み込むように接合させるようにした。【選択図】図３
0003206946.tif 000002
【実用新案登録請求の範囲】
【請求項１】
長方形状の財布本体と、
上記財布本体の表側シート部に対向する表側シートを有すると共に、上記表側シートに対して中折れシートを介して連接する裏側シートを有するカバーと
を具え、
上記カバーは上記表側シートを上記財布本体の上記表側シート部に当接させた状態で上記中折れシート及び上記裏側シートによって上記財布本体をカバーするようになされ、
上記財布本体の上記表側シート部の厚味部分には四隅に磁石粒体でなる第１の接合子を固着してなる可動側台紙が設けられると共に、上記カバーの上記表側シートの厚味部分には四隅に磁石粒体でなる第２の接合子を固着してなる固定側台紙が設けられ、上記第１の接合子と上記第２の接合子とが磁力によって互いに引き付けることによって上記財布本体の上記表側シート部が上記カバーの上記裏側シートに引きはがせるように接合保持される
ことを特徴とするカバー付財布。
【請求項２】
上記第１及び第２の接合子は接合保持する表面の極性が互いに逆極性に着磁されている
ことを特徴とする請求項１に記載のカバー付財布。
【請求項３】
上記第１及び第２の接合子は粒状のネオジウム磁石で構成され、上記第１及び第２の接合子が接合する際に両者の磁力が大きいために互いに位置ずれがない接合状態で接合し、これにより上記カバーに対する上記財布本体が位置ずれない状態で接合される
ことを特徴とする請求項１に記載のカバー付財布。
【請求項４】
上記カバーの上記裏側シートの厚味部分には四隅に磁石粒体でなる第３の接合子を固着してなる予備用台紙が設けられ、上記第３の接合子の磁化力を利用して上記カバーの上記裏側シートの表側に予備としての部材を上記財布本体と一緒に上記カバーの内側に引きはがせるように接合保持する
ことを特徴とする請求項１に記載のカバー付財布。
【請求項５】
上記予備としての部材として、スマートフォンを用いた
ことを特徴とする請求項４に記載のカバー付財布。
【考案の詳細な説明】
【技術分野】
【０００１】
本考案はカバー付財布に関し、特に利用者が好みに応じていろいろな外観デザインの財布を手にし得るようにしたものである。
【背景技術】
【０００２】
財布は金銭を入れて持ち運ぶ袋であって、利用者が日常的に身の回りに置いて手にしているものであるから、いつも違和感なく手慣れた携帯物であることが必要であるが、時として色や模様などの外観上のデザインを変えることができれば、利用者にとって好ましさが増す製品になり得る。
【０００３】
同じような着想をもつ製品として、例えば特許文献１に開示のようなハンドバックが提案されている。
【先行技術文献】
【特許文献】
【０００４】
【特許文献１】特許第３５１３１７７号公報
【考案の概要】
【考案が解決しようとする課題】
【０００５】
ところが、財布は金銭を入れて持ち運ぶ袋であるから、利用者が片方の手のひらに載せて取り扱い易く、外観上のデザインを変える際には、できるだけコンパクトで、しかも簡易な操作で済むようにすることが実用上重要である。
【０００６】
本考案はこれを実現できるようにしたカバー付財布を提案しようとするものである。
【課題を解決するための手段】
【０００７】
かかる課題を解決するため本考案においては、長方形状の財布本体２と、財布本体２の表側シート部４ＢＸに対向する表側シート３ＢＸを有すると共に、表側シート３ＢＸに対して中折れシート３ＢＹを介して連接する裏側シート３ＢＺを有するカバー３とを具え、カバー３は表側シート３ＢＸを財布本体２の表側シート部４ＢＸに当接させた状態で中折れシート３ＢＹ及び裏側シート３ＢＺによって財布本体２をカバーするようになされ、財布本体２の表側シート部４ＢＸの厚味部分には四隅に磁石粒体でなる第１の接合子１２Ｘを固着してなる可動側台紙１２が設けられると共に、カバー３の表側シート３ＢＸの厚味部分には四隅に磁石粒体でなる第２の接合子１１Ｘを固着してなる固定側台紙１１が設けられ、第１の接合子１２Ｘと第２の接合子１１Ｘとが磁力によって互いに引き付けることによって財布本体２の表側シート部４ＢＸがカバー３の表側シート３ＢＸに引きはがせるように接合保持されるようにする。
【考案の効果】
【０００８】
本考案によれば、財布本体を、磁石粒体でなる接合子を有する固定側台紙及び可動側台紙を用いてカバーに挟み込むように接合させるようにしたことにより外観上のデザインを簡易に変えることができ、これによりカバーをユーザの趣向に応じて簡易に交換できるカバー付財布を得ることができる。
【図面の簡単な説明】
【０００９】
【図１】カバー付財布の全体構成を示す斜視図である。
【図２】図１の財布本体２を示す斜視図である。
【図３】カバー３に財布本体２を挟み込み保持する接合機構の説明に供する斜視図である。
【図４】接合機構の詳細構成を示す斜視図である。
【図５】（Ａ）〜（Ｃ）は固定側台紙１１及び可動側台紙１２の説明に供する略線図である。
【図６】財布本体への可動側台紙の組み込みの説明に供する略線的斜視図である。
【図７】カバーへの固定側台紙の組み込みの説明に供する略線的斜視図である。
【図８】固定側台紙の組み込み位置の説明に供する略線的斜視図である。
【図９】予備用機器の接合の説明に供する斜視図である。
【図１０】ロック用フックによってロックされた状態のカバー付財布を示す斜視図である。
【図１１】予備用台紙の組み込みの説明に供する略線的斜視図である。
【考案を実施するための形態】
【００１０】
以下図面について、本考案の一実施の形態を詳述する。
（１）全体構成
図１において、１は全体としてカバー付財布を示し、偏平長方形状の財布本体２が、表側シート３ＢＸに対して中折れシート３ＢＹを介して裏側シート３ＢＺに連接してなる、２つ折り形状の板状のカバー３に取り外し自在に装着されている。
【００１１】
財布本体２は、図２に示すように、長方形状の裏側半体４Ａ及び表側半体４Ｂの開口端縁に形成されたファスナ５を操作子６によって開閉操作することにより、カバー３に当接する２つ折部７を中心として観音開きに開閉できるようになされている。
【００１２】
財布本体２は、それぞれ軟性合成樹脂材料でなる可縫製シート材によって半袋状に作られた裏側半体４Ａ及び表側半体４Ｂのうち、表側半体４Ｂの表面シート部４ＢＸを、図３に示すような接合機構１０を介して、カバー３の表側シート３ＢＸの内面に着脱自在に接合することにより装着される。
【００１３】
接合機構１０は、図４に示すように、カバー３の表側シート３ＢＸ内に設けられている固定側台紙１１と、財布本体２の表側シート部４ＢＸ内に設けられている可動側台紙１２を有する。
【００１４】
この実施の形態の場合、固定側台紙１１及び可動側台紙１２の四隅位置に、磁石粒体として、円形板状の円形粒子磁石でなる接合子１１Ｘ及び１２Ｘが固着されており、固定側台紙１１及び可動側台紙１２が互いに重ね合わされたとき、接合子１１Ｘ及び１２Ｘが磁力によって吸引接合し、これにより固定側台紙１１が設けられているカバー３の裏側シート３ＢＺに対して可動側台紙１２が設けられている財布本体２の表側シート部４ＢＸが一体に接合保持される。
【００１５】
固定側台紙１１及び可動側台紙１２は、図５（Ａ）に示すように、互いにほぼ同じ構成を有し、その四隅に厚みを貫通するように円形の取付孔１５が穿設され、この取付孔１５に接合子１１Ｘ及び１２Ｘを構成する円形粒子磁石でなる接合子１１Ｘ及び１２Ｘが嵌め込み固定されている。
【００１６】
ここで、接合子１１Ｘ及び１２Ｘは磁化力が大きいネオジウム磁石によって構成されていると共に、接合子１１Ｘの固定側台紙１１の裏面側磁性がＮでなるのに対して接合子１２Ｘの可動側台紙１２の表面側磁性がＳになるように、接合子１１Ｘ及び１２Ｘの磁極性が決められており、これにより固定側台紙１１及び可動側台紙１２が重ね合わされたとき、その強い吸引磁力によって図５（Ｂ）に示すように接合子１１Ｘ及び１２Ｘがずれずにちょうど重ね合った位置で密着するようになされている。
【００１７】
因みに、この実施の形態の場合のように、円形粒子形状の接合子１１Ｘ及び１２Ｘが磁化力が大きいネオジウム磁石によって構成されているので、図５（Ｃ）に示すように、固定側台紙１１に固着されている接合子１１Ｘに対して可動側台紙１２の接合子１２Ｘが距離ＰＸだけずれた状態で一時的に接合した場合にも、接合子１１Ｘ及び１２Ｘの吸引力が大きいために、例えば固定ガイドや、スリットや、枠などがなくても、ネオジウム磁石だけで、ずれ量ＰＸがＰＸ＝０の状態に自動的に位置補正されることにより、特に利用者が補正処理をすることなく常に図５（Ｂ）に示す正対位置に位置補正できるようになされている。
【００１８】
かくして可動側台紙１２を固着保持している財布本体２の表側半体４Ｂの表側シート部４ＢＸが、固定側台紙１１を固着保持しているカバー３の表側シート３ＢＸの予め決められている位置に可動しながら位置決め保持される。
【００１９】
この実施の形態の場合、財布本体２の表側シート部４ＢＸと可動側台紙１２との間に防磁シート２５が介挿され、これにより可動側台紙１２の接合子１２Ｘの磁束が表側シート部４ＢＸに到達するのを防げるようになされている。
【００２０】
この防磁シート２５の防磁効果は、財布本体２の内部ないし裏側シート３ＢＺの表面に磁気情報を記録した磁気シートないしカードが形成されているとき、当該磁気シートないしカードの磁気情報が接合子１２Ｘの磁束によって破壊されるような磁気傷害の発生を防ぐことにある。
【００２１】
（２）接合機構の組み込み構造
可動側台紙１２は、図２の財布本体２の表側シート部４ＢＸに対して、図６に示すように、表側シート部４ＢＸの内部生地２０と外部生地２１との間に挟み込むように固定される。
【００２２】
このとき内側に可動側台紙１２を挟み込む外部生地２１はその周辺にそって縫糸２２によって内部生地２０に縫い付けられることにより、可動側台紙１２を内部生地２０の固定領域２３の位置に固着させる。
【００２３】
かくして財布本体２の表側シート部４ＢＸはその外部生地２１を通して可動側台紙１２に固着されている接合子１２Ｘからの磁力を外部生地２１の厚みを通して表側シート部４ＢＸの外側に磁力を放出形成することにより、当該外側に磁性材料があればこれを表側シート部４ＢＸに定着する。
【００２４】
これに対してカバー３に対する固定側台紙１１の組み込み方は、図７に示すように、カバー３の表側カバー生地２５と裏側カバー生地２６との間に固定側台紙１１を挟み込むように配置した状態において、表側カバー生地２５及び裏側カバー生地２６の外周縁に沿って縫糸２７によって両者を縫い合わせることにより、固定側台紙１１と対向する固定領域２８に固定側台紙１１を縫い付け固定する。
【００２５】
この実施の形態の場合の接合機構１０は、図３について上述したように、財布本体２をカバー３のうち表側シート部４ＢＸ側に接合保持させることにより、中折れシート３ＢＹに財布本体２の２つ折部７を保持すると共に、裏側シート３ＢＺを財布本体２の裏側シート部２ＡＸに当接させることにより、財布本体２を全体としてカバー３内に挟み込むようにすることを目的としているので、カバー３の固定側台紙１１の固定領域２８は表側シート３ＢＸの内側位置に選定されている。
【００２６】
この結果、固定側台紙１１に固着された接合子１１Ｘから放出される磁気力は裏側カバー生地２６を貫通するように放出されることにより、当該表側シート３ＢＸと対向するようにカバー３によって挟み付けられた財布本体２の表側シート部４ＢＸの接合子１２Ｘから放出される磁力線と結合することにより、財布本体２を強くカバー３の表側シート３ＢＸに引き付け保持することになる。
【００２７】
カバー３の表側カバー生地２５は、その表側表面材料として、インクジェットプリンタによる印刷ができる素材が用いられており、これによりカバー３の表側表面に利用者の趣向に応じて絵柄模様から写真に至るまで種々のデザインの絵模様の１つを選択して表示することができる。
【００２８】
これによりカバー３として、種々のデザインの絵模様を表示したものをあらかじめ用意しておき、そのうちの１つを利用者が選択して当該カバー３の表側シート３ＢＸの内表面に財布本体２を挟み込んで固定側台紙１１の接合子１１Ｘに接合させることにより、実質上財布本体２として外観上のデザインが利用者が用意した種々の絵模様のうちから選択した任意の１つになるようにし得る。
【００２９】
カバー３の表面の絵模様としては、用途別に、例えば季節感に見合う色合いや、モチーフ（例えば花や、景色など）や、特徴あるデザイン形式など、利用者の趣向に応じて任意に決めることができ、これにより利用者が手元に置く小物の外観を楽しむようにすることができる。
【００３０】
図７の実施の形態の場合、財布本体２を固着保持するための固定側台紙１１に加えて予備用台紙３１が設けられている。
【００３１】
この予備用台紙３１は固定側台紙１１と同様の構成を有し、固定側台紙１１と同様に四隅の位置に接合子３１Ｘを有しこれにより表側カバー生地２５に対して裏側カバー生地２６を縫糸２７によって縫い合わせることにより、裏側シート３ＢＺ上に固定側領域２８と同様に、裏側シート３ＢＺ上に予備用台紙３１用の固定領域３２を形成するようになされている。
【００３２】
かくして図８に示すように、接合子３１Ｘを有する予備用台紙３１はカバー３の裏側シート３ＢＺに固着保持されていることにより、当該裏側シート３ＢＺ側に、接合子３１Ｘを利用して財布本体２以外のいろいろな部材、例えば携帯電話（スマートフォン）や、ペンケース（筆入れ）や、名刺入れや、ポケットティッシュケースや、鏡や、鍵（キーホルダー）や、自由にメモ書きができるミニホワイトボードなどを予備的に保持できるようになされている。
【００３３】
図９〜図１１は、予備用機器としてスマートフォン４２をカバー３に接合するための予備用台紙３１の組み込み構成を示す。
【００３４】
この場合スマートフォン４２は、図１１に示すように、長方形状の枠体４３でなる携帯ケース４１に表側から（図においては下方から）嵌め込まれ、この状態で携帯ケース４１がカバー３の裏側シート３ＢＺの表側表面に接合される。
【００３５】
携帯ケース４１の枠体４３内には予備用台紙３１が裏側から嵌め込まれ、これにより予備用台紙３１の接合子３１Ｘがカバー３の裏側シート３ＢＺの固定領域３２上に位置決めされる（図７）。
【００３６】
携帯ケース４１に嵌め込まれた予備用台紙３１の裏側には、化粧板４４が貼り付けられ、これによりスマートフォン４２を表側から取り外しできるように携帯ケース４１がカバー３の裏側シート３ＢＺ上に１個の部材として装着される。
【００３７】
かくしてスマートフォン４２は、図９に示すように、財布本体２と共にカバー付財布１の一部を構成する構成部材としてカバー３内に取り外し自在に挟み込まれ、これによりユーザは、図１０に示すように、スマートフォン４２を含めて全体をロック用フック３Ｘによってロックすることにより、スマートフォン４２を財布本体２と同じように日常的に取り扱う小物として常に簡便に手元に置いておくことができる。
【００３８】
ここで、予備用台紙３１と対向するカバー３の裏側シート３ＢＺには、可動側台紙１２について図４において上述したと同じようにして固定側台紙１１が設けられており、これにより予備用台紙３１の接合子３１Ｘが裏側シート３ＢＺに設けられた固定側台紙１１の接合子１１Ｘと磁気的に吸着し合うことにより予備用機器であるスマートフォン４２がカバー３の裏側シート３ＢＺに接合されている。
【００３９】
この場合も、予備用台紙３１と枠体４３との間には防磁シート４５が介挿されることにより、予備用台紙３１の接合子３１Ｘを構成する磁石粒子からの磁束が防磁シート４５によって弱められないし遮断され、これにより予備用台紙３１の接合子３１Ｘの磁力によって予備用機器としてのスマートフォン４２が磁気によって損傷を受けないようになされている。
【００４０】
（３）作用効果
以上の構成において、ユーザは図１に示すように、財布本体２をカバー３の表側シート３ＢＸの内側に挟むことにより、財布本体２の表側シート部４ＢＸに設けた可動用台紙１２の接合子１２Ｘをカバー３の表側シート３ＢＸに設けた固定側台紙１１の接合子１１Ｘに磁石の磁力を利用して一体に固着させる。
【００４１】
この状態において、カバー３を２つ折にしてロック用フック３Ｘをカバー３の裏側シート３ＢＺにロックさせて、財布本体２を覆うことにより、カバー３の外側に描かれたデザインをもつ小物入れとして、ユーザが持ち運ぶことができると共に、ロック用フック３Ｘのロックをはずしてカバー３を開くことにより財布本体２自体を財布として使うことができる。
【００４２】
（３−１）カバーの交換
カバー付財布１はカバー３の外表面に施されたデザインによってユーザの趣向を楽しませることができ、かくするにつき、カバー３の固定側台紙１１の接合子１１Ｘから財布本体２の可動側台紙１２の接合子１２Ｘを引きはがして他のデザインを持つカバー３を財布本体２に吸着させるだけの簡易な操作によって、カバー付財布１の外観を容易に変更することができる。
【００４３】
このようなカバー付財布１の趣向の変更をする際には、カバー３として種々のアイテムを印刷したものや、ワニ柄や本革調の生地をもったものや、用途別に、例えば季節感で色合いやモチーフ（花、景色）の趣向や、デザイン調の趣向や、ペットの写真を印刷した趣向のものをあらかじめ用意しておけばよく、各趣向の変更は、カバー３を財布本体２から取り外して交換する操作をするだけで簡易に行うことができる。
【００４４】
ここで、用途別とは、例えばアパレルや、アニメ関係などについて選定したキャラクタに対応する模様のカバーをあらかじめ用意しておき、販促品についてカバー３を交換することにより当該選定したキャラクタに適合した外観デザインをもったカバー付財布１を提供できるようにすることを内容とする。
【００４５】
（３−２）予備的部材の交換
上述のカバー付財布１は図８について上述したように、裏側シート３ＢＺに予備用台紙３１を設けるようにしたことにより、財布本体２と同じように、使用者が日常的に手元に置きたい小物をカバー付財布１の一部の部材として交換しながら設けることができる。
【００４６】
かくして、ユーザは常時手元に持っている小物入れとして、必要に応じて種々の機能をもつ機器を財布本体２と一緒に持ち運ぶことができるようなカバー付財布１を実現できる。
【００４７】
（３−３）部材単体の分割取付
上述の構成によれば、カバー３の表側シート３ＢＸに設けられた固定側台紙１１に磁気結合できるように財布本体２が設けられると共に、カバー３の裏側シート３ＢＺに設けられた予備用台紙３１に予備的部材が磁気結合できるように構成されているので、固定側台紙１１に磁気結合により取り付けられる財布本体２や、裏側シート３ＢＺに設けられた予備用台紙３１に磁気結合される予備的部材、例えば図９〜図１１に示したスマートフォン４２について、これを固定側台紙１１又は予備用台紙３１から分割するように取り外して、磁性材料でなる機器（例えば鉄製表面材料をもつ冷蔵庫）に磁気的に取り付けるような使い方をすることができる。
【００４８】
これにより小物入れとして使われるカバー付財布１の機能を一段と多様化することができる。
【００４９】
（４）他の実施の形態
（４−１）上述の実施の形態においては、カバー３の表側カバー生地２５の表面材料としてインクジェットプリンタにより印刷できる素材を用いて種々の絵模様を印刷できるようにしたが、これに代え、表側カバー生地２５として本来の表面模様がワニ柄調、本革調などのような印刷以外の生地のものを用いるようにしても、上述の場合と同様の効果を得ることができる。
【００５０】
（４−２）上述の実施の形態においてはカバー３を用いた使い方の場合について述べたが、カバー３からすべての部材をはずして当該部材を用途に応じて個別に使うようにしても良く、この場合には全体としては小物入れとして持ち運びながら、当該各部材を必要に応じて１つづつ使うことができる。
【００５１】
（４−３）図６の実施の形態においては、可動側台紙１２の接合子１２Ｘの磁化力による財布本体２周りの磁気情報に対する磁気傷害を、財布本体２の表側シート部４ＢＸと可動側台紙１２との間に防磁シート２５を設けることにより防止するようにしたが、これに加えて、財布本体２の裏側シート４ＡＸ（図２）上に、磁気情報を記録した記録カードを保持するカードホルダを設ける場合には、当該カードホルダの裏面に当接できるように防磁シートを設けることにより予備用台紙３１の接合子３１Ｘからの磁束の透過をさせないようにし、これにより接合子３１Ｘから磁束によりカードホルダに保持された記録カードの磁気情報の破壊を防止するようにしても良い。
【００５２】
（４−４）また財布本体２の周りや内部に磁気シートないしカードが設けられたとき、当該磁気シートないしカードを挟むように一対の防磁シートを設けるようにしても良く、これにより磁気シートないしカードの磁気情報に対する接合子１２Ｘ及び３１Ｘからの磁気傷害を防止できる。
【００５３】
（４−５）同じように、カバー３の裏側シート３ＢＺに設けられる予備用機器に磁気情報を記録する磁気シートないしカードを設ける場合にも、これを挟むように防磁シートを設けるようにすれば、カバー３の裏側シート３ＢＺに設けられた接合子３１Ｘや、表側シート３ＢＸに設けられた接合子１１Ｘからの磁束によって磁気シートないしカードの磁気情報を破壊させないように防止できる。
【産業上の利用可能性】
【００５４】
本考案はカバー付財布に利用できる。
【符号の説明】
【００５５】
１……カバー付財布、２……財布本体、３……カバー、３ＢＸ……表側シート、３ＢＹ……中折れシート、３ＢＺ……裏側シート、４Ａ……裏側半体、４Ｂ……表側半体、１０……接合機構、１１……固定側台紙、１１Ｘ……接合子、１２……可動側台紙、１２Ｘ……接合子、１５……取付孔、２０……内部生地、２１……外部生地、２２……縫糸、２５……表側カバー生地、２６……裏側カバー生地、２７……縫糸、２８……固定領域、３１……予備用台紙、３１Ｘ……接合子、３２……固定領域、４１……携帯ケース、４２……スマートフォン、４４……化粧板。
【図１】
0003206946.tif 000003
【図２】
0003206946.tif 000004
【図３】
0003206946.tif 000005
【図４】
0003206946.tif 000006
【図５】
0003206946.tif 000007
【図６】
0003206946.tif 000008
【図７】
0003206946.tif 000009
【図８】
0003206946.tif 000010
【図９】
0003206946.tif 000011
【図１０】
0003206946.tif 000012
【図１１】
0003206946.tif 000013
【手続補正書】
【提出日】平成28年8月3日(2016.8.3)
【手続補正１】
【補正対象書類名】実用新案登録請求の範囲
【補正対象項目名】全文
【補正方法】変更
【補正の内容】
【実用新案登録請求の範囲】
【請求項１】
長方形状の財布本体と、
上記財布本体の表側シート部に対向する表側シートを有すると共に、上記表側シートに対して中折れシートを介して連接する裏側シートを有するカバーと
を具え、
上記カバーは上記表側シートを上記財布本体の上記表側シート部に当接させた状態で上記中折れシート及び上記裏側シートによって上記財布本体をカバーするようになされ、
上記財布本体の上記表側シート部の厚味部分には四隅に磁石粒体でなる第１の接合子を固着してなる可動側台紙が設けられると共に、上記カバーの上記表側シートの厚味部分には四隅に磁石粒体でなる第２の接合子を固着してなる固定側台紙が設けられ、上記第１の接合子と上記第２の接合子とが磁力によって互いに引き付けることによって上記財布本体の上記表側シート部が上記カバーの上記裏側シートに引きはがせるように接合保持される
ことを特徴とするカバー付財布。
【請求項２】
上記第１及び第２の接合子は接合保持する表面の極性が互いに逆極性に着磁されている
ことを特徴とする請求項１に記載のカバー付財布。
【請求項３】
上記第１及び第２の接合子は粒状のネオジウム磁石で構成され、上記第１及び第２の接合子が接合する際に両者の磁力が大きいために互いに位置ずれがない接合状態で接合し、これにより上記カバーに対する上記財布本体が位置ずれない状態で接合される
ことを特徴とする請求項１に記載のカバー付財布。
【請求項４】
上記カバーの上記裏側シートの厚味部分には四隅に磁石粒体でなる第３の接合子を固着してなる予備用台紙が設けられ、上記第３の接合子の磁化力を利用して上記カバーの上記裏側シートの表側に予備としての部材を上記財布本体と一緒に上記カバーの内側に引きはがせるように接合保持する
ことを特徴とする請求項１に記載のカバー付財布。